(57)【要約】【課題】  生前のペットに対するメモリアルツールとして最適な葬儀用ツールを提供するとともに、ペットに関連する施設を有機的に結び付けることによって優れた利便を提供する。【解決手段】  ペットの飼い主であるユーザＵＳが所持するユーザ用端末３０を介して葬儀用ツールの注文を行い、メモリアルツールを提供するサービスに関する事業を運営する運営会社ＨＱが所持するサーバ１０を介して、ユーザ用端末３０を介したユーザＵＳからの注文を受注し、サーバ１０を介した受注に応じて、所定の印刷工場ＰＦが所持するプリンタ２１を用いて、少なくともペットの遺骨を納骨する骨壺ＵＲＰをに対して、少なくとも生前のペットを撮像した画像データを含む当該ペットを即座に想起させることに寄与する情報を印刷し、製造した印刷済みの骨壺ＵＲＡを、当該骨壺ＵＲＡを用いて逝去したペットの葬儀を執り行うペット霊園ＣＭ又はユーザＵＳに納品する。【選択図】  図１
2005044335.tif 000002
【特許請求の範囲】
【請求項１】
生前のペットに対するメモリアルツールとしての葬儀用ツールを提供するペットメモリアル提供システムであって、
上記ペットの飼い主であるユーザからの注文に応じて上記メモリアルツールを提供するサービスに関する事業を運営する運営会社が所持するサーバと、
上記サーバを介した受注に応じて、少なくともペットの遺骨を納骨する骨壺をはじめとする葬儀用ツールに対して、少なくとも生前のペットを撮像した画像データを含む当該ペットを即座に想起させることに寄与する情報を印刷し、製造した印刷済みの葬儀用ツールを、当該葬儀用ツールを用いて逝去した上記ペットの葬儀を執り行うペット霊園若しくは上記ユーザ、又は葬儀業務を取り扱う葬儀会社に納品する印刷工場が所持する印刷装置とを備えること
を特徴とするペットメモリアル提供システム。
【請求項２】
上記印刷装置は、任意の素材及び形状からなる媒体に対する印刷が可能であること
を特徴とする請求項１記載のペットメモリアル提供システム。
【請求項３】
上記ペットの飼い主であるユーザが所持するユーザ用端末を備えること
を特徴とする請求項１又は請求項２記載のペットメモリアル提供システム。
【請求項４】
上記ユーザ用端末は、上記葬儀用ツールの注文を行う際に、少なくとも生前のペットを撮像した画像データのうち印刷を所望する画像データを上記サーバに対して送信すること
を特徴とする請求項３記載のペットメモリアル提供システム。
【請求項５】
上記ユーザ用端末は、上記サーバから提供される種別に応じた葬儀用ツールのテンプレート画像に基づいて、注文する上記葬儀用ツールを選定すること
を特徴とする請求項４記載のペットメモリアル提供システム。
【請求項６】
上記サーバは、上記ペットの種別及び大きさに基づいて上記葬儀用ツールを選定し、上記ユーザ用端末を介して上記ユーザに提示すること
を特徴とする請求項４記載のペットメモリアル提供システム。
【請求項７】
上記ユーザ用端末は、上記サーバから提供される所定の検索フォームを介して、上記ユーザの住所又は葬儀を執り行いたい地域に基づいて、上記ペット霊園を検索すること
を特徴とする請求項３乃至請求項６のうちいずれか１項記載のペットメモリアル提供システム。
【請求項８】
上記ユーザ用端末は、上記サーバから提示されるペット霊園の一覧を示すリストに基づいて、上記ペット霊園を選択すること
を特徴とする請求項３乃至請求項６のうちいずれか１項記載のペットメモリアル提供システム。
【請求項９】
上記サーバは、上記ユーザ用端末を介した上記ユーザからの注文に応じて、上記少なくとも生前のペットを撮像した画像データを含む当該ペットを即座に想起させることに寄与する情報を合成して所定の加工処理を施した上記葬儀用ツールのプレビュー画像を、上記ユーザ用端末に対して送信すること
を特徴とする請求項４記載のペットメモリアル提供システム。
【請求項１０】
上記ユーザ用端末は、上記ペットを撮像した静止画像データ、録画した動画像データ、録音した音声データ、及び／又は文字データを、上記サーバにアップロードし、これらアップロードした静止画像データ、動画像データ、音声データ、及び／又は文字データを任意にダウンロードすること
を特徴とする請求項３記載のペットメモリアル提供システム。
【請求項１１】
上記ユーザ用端末は、上記葬儀用ツールの注文を行う際に、アップロードした静止画像データの中から印刷を所望する画像データを選択すること
を特徴とする請求項１０記載のペットメモリアル提供システム。
【請求項１２】
上記印刷装置は、上記サーバを介した受注に応じて、生前のペットに関連する施設が上記ユーザに対して販売する上記ペットに固有の商品であり、少なくとも生前のペットを撮像した画像データを印刷した商品を製造すること
を特徴とする請求項１記載のペットメモリアル提供システム。
【請求項１３】
上記サーバは、上記施設からの依頼に応じて、当該施設に関する情報を上記ユーザに配信すること
を特徴とする請求項１２記載のペットメモリアル提供システム。
【請求項１４】
上記サーバは、上記ペット霊園からの依頼に応じて、上記ペットの死後の供養に関する行事情報を上記ユーザに配信すること
を特徴とする請求項１記載のペットメモリアル提供システム。
【請求項１５】
上記サーバは、上記ペット霊園からの配信依頼に応じて、供養を執り行うべき日程が所定日数以内に迫っているユーザを選別し、該当するユーザに配信すること
を特徴とする請求項１４記載のペットメモリアル提供システム。
【請求項１６】
上記サーバは、上記ユーザからの注文に応じて、上記メモリアルツールとしての骨壺を収納する骨壺収納用カバーの製造を、所定の製造工場に対して発注すること
を特徴とする請求項１記載のペットメモリアル提供システム。
【請求項１７】
上記骨壺収納用カバーは、本体の一部領域に、当該本体に収納された骨壺に印刷されている上記情報を視認可能とする透明フィルムが設けられたものであること
を特徴とする請求項１６記載のペットメモリアル提供システム。
【請求項１８】
生前のペットに対するメモリアルツールとしての葬儀用ツールを提供するペットメモリアル提供方法であって、
上記メモリアルツールを提供するサービスに関する事業を運営する運営会社が所持するサーバを介して、上記ペットの飼い主であるユーザからの上記葬儀用ツールの注文を受注し、
上記サーバを介した受注に応じて、所定の印刷工場が所持する印刷装置を用いて、少なくともペットの遺骨を納骨する骨壺をはじめとする葬儀用ツールに対して、少なくとも生前のペットを撮像した画像データを含む当該ペットを即座に想起させることに寄与する情報を印刷し、製造した印刷済みの葬儀用ツールを、当該葬儀用ツールを用いて逝去した上記ペットの葬儀を執り行うペット霊園若しくは上記ユーザ、又は葬儀業務を取り扱う葬儀会社に納品すること
を特徴とするペットメモリアル提供方法。
【請求項１９】
生前のペットに対するメモリアルツールとしての葬儀用ツールを提供するサービスに関する事業を運営する運営会社が所持するサーバとしての情報処理装置であって、
上記ペットの飼い主であるユーザからの注文に応じて、少なくとも生前のペットを撮像した画像データを含む当該ペットを即座に想起させることに寄与する情報を印刷した少なくともペットの遺骨を納骨する骨壺をはじめとする葬儀用ツールを、上記メモリアルツールとして受注し、所定の印刷工場に対して、上記葬儀用ツールの製造を発注する手段と、
上記ユーザからの注文に応じて、注文に関する各種情報を顧客データベースとして保持する手段とを備えること
を特徴とする情報処理装置。
【請求項２０】
生前のペットに対するメモリアルツールとしての葬儀用ツールを提供するペットメモリアル提供システムであって、
上記ペットの飼い主であるユーザからの注文に応じて上記メモリアルツールを提供するサービスに関する事業を運営する運営会社が所持するサーバと、
上記サーバを介した受注に応じて、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを製造し、製造した印刷済みのシール又は上記シールを貼付した葬儀用ツールを、当該葬儀用ツールを用いて逝去した上記ペットの葬儀を執り行うペット霊園若しくは上記ユーザ、又は葬儀業務を取り扱う葬儀会社に納品する印刷工場が所持する印刷装置とを備えること
を特徴とするペットメモリアル提供システム。
【請求項２１】
生前のペットに対するメモリアルツールとしての葬儀用ツールを提供するペットメモリアル提供方法であって、
上記メモリアルツールを提供するサービスに関する事業を運営する運営会社が所持するサーバを介して、上記ペットの飼い主であるユーザからの注文を受注し、
上記サーバを介した受注に応じて、所定の印刷工場が所持する印刷装置を用いて、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを製造し、製造した印刷済みのシール又は上記シールを貼付した葬儀用ツールを、当該葬儀用ツールを用いて逝去した上記ペットの葬儀を執り行うペット霊園若しくは上記ユーザ、又は葬儀業務を取り扱う葬儀会社に納品すること
を特徴とするペットメモリアル提供方法。
【請求項２２】
生前のペットに対するメモリアルツールとしての葬儀用ツールを提供するサービスに関する事業を運営する運営会社が所持するサーバとしての情報処理装置であって、
上記ペットの飼い主であるユーザからの注文に応じて、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを受注し、所定の印刷工場に対して、上記シールの製造を発注する手段と、
上記ユーザからの注文に応じて、注文に関する各種情報を顧客データベースとして保持する手段とを備えること
を特徴とする情報処理装置。
【請求項２３】
少なくともペットの遺骨を納骨する骨壺であって、
曲面又は複数の平面の組み合わせからなる側壁を有する本体と、
蓋体とを備え、
上記本体の側壁には、少なくとも生前のペットを撮像した画像データを含む当該ペットを即座に想起させることに寄与する情報が印刷されている、又は上記情報が印刷されたシールが貼付されていること
を特徴とする骨壺。
【請求項２４】
少なくともペットの遺骨を納骨する骨壺を収納する骨壺収納用カバーであって、
袋物状又は箱状に形成された本体と、
上記本体の一部領域に設けられた透明フィルムと、
上記本体の上側開口部に沿って紐通しに通された紐体とを備え、
上記骨壺の本体側壁には、少なくとも生前のペットを撮像した画像データを含む当該ペットを即座に想起させることに寄与する情報が印刷されている、又は上記情報が印刷されたシールが貼付されており、
当該骨壺収納用カバーは、上記本体に収納された上記骨壺に印刷又はシールとして貼付されている上記情報が上記透明フィルムを介して視認可能な状態で、当該骨壺を収納すること
を特徴とする骨壺収納用カバー。
【発明の詳細な説明】
【技術分野】
【０００１】
本発明は、生前のペットに対するメモリアルツールとしての葬儀用ツールを提供するペットメモリアル提供システム及びペットメモリアル提供方法、並びにメモリアルツールを提供するサービスに関する事業を運営する運営会社が所持するサーバとしての情報処理装置に関する。また、本発明は、ペットメモリアル提供システムにおいてメモリアルツールとして提供される骨壺、及びこの骨壺を収納する骨壺収納用カバーに関する。
【背景技術】
【０００２】
従来より、例えば犬や猫をはじめとする各種動物をペットとして飼育している家庭は多いが、近年では、これらペットを家族の一員としてみなす傾向が高まっている。そのため、近年では、ペット専用の葬儀社が存在する他、各寺院においても、ペット専用の霊園を設け、葬儀や死後の供養を手がけている場合もある（例えば、非特許文献１参照。）。このようなペット霊園においては、ペットを火葬して遺骨を所定の骨壺に納骨し、所定の納骨堂等に祀るとともに、例えばいわゆる四十九日や一周忌等の各種法要といった死後の供養を執り行うサービスを提供している。
【０００３】
【非特許文献１】"世界動物友の会  深大寺動物霊園"、［online］、［平成１５年６月２４日検索］、インターネット＜URL: http://www.musashinokk.co.jp/tomonokai/＞
【０００４】
また、このようなペットの葬儀を執り行う環境が充実してきた状況にともない、ペットの葬儀に必要となる各種葬儀用ツールに関する技術も提案されている（例えば、特許文献１乃至特許文献３参照。）。
【０００５】
【特許文献１】特開平１０−０９８９６７号公報
【特許文献２】特開平１０−１５１０６２号公報
【特許文献３】特開２００２−０２８０６９号公報
【０００６】
具体的には、特許文献１には、ペットを埋葬する場合に使用するペット用棺桶が開示されている。特に、このペット用棺桶は、土壌等の環境中で生分解を受ける生分解性の合成樹脂で構成されたものであり、環境破壊を回避することができるとしている。
【０００７】
また、特許文献２には、柩と、この柩よりも背の高い台兼用の収納箱と、柩よりも背が低く蝋燭立てや供物を置く低台とを備えるペット用葬儀壇が開示されている。このペット用葬儀壇において、収納箱は、柩、低台及び葬儀用備品を収納するスペースを有し、且つ、収納箱の蓋体は、蓋体の先端を余して柩を載置できる大きさに設定され、低台の下部には、被嵌合スリットが形成されるものとして構成される。そして、このペット用葬儀壇においては、使用時には、手前から後方に向けて低台、柩、収納箱を順に配設し、且つ、収納箱の蓋体を手前に倒してこの蓋体の上に柩を載置するとともに、蓋体の先端を低台の被嵌合スリットに挿入することにより、収納箱、柩、低台を階段状の壇とする一方で、不使用時には、収納箱内に、柩、低台、葬儀用備品を収納するものである。これにより、このペット用葬儀壇は、外力に対して安定化を図ることができるとともに、保管場所も大きくならず、持ち運びも容易とすることができるとしている。
【０００８】
さらに、特許文献３には、火葬にふされたペットの遺骨の一部を粉末化したものを防酸化剤とともに密封するセラミック製の納骨箱と、この納骨箱を収納する収納箱とペットの写真やレリーフを保持する保持部とを備えた本体と、この本体の収納部に収納された納骨箱の上部を覆って本体に接着され、ペットの名前や命日等が刻印された金属製の銘板とを有する納骨霊牌が開示されている。そして、この納骨霊牌は、墓、位牌及び写真額をコンパクトに一体化することにより、墓地や霊園の不足を解消するとともに、ペットの飼い主の負担を低減し、ペットへの供養をいつでも行うことを可能とするとしている。
【発明の開示】
【発明が解決しようとする課題】
【０００９】
ところで、上述した従来のペットの葬儀に使用する各種葬儀用ツールに関する技術においては、例えば、墓碑や位牌等に対してペットの名前を刻印し、ペットの写真やレリーフを骨壺とともに所定の納骨スペースに載置することは行われている。しかしながら、これら従来の技術によって提供される各種葬儀用ツールは、ペットにかかわりなくいわば画一的に製造されるものであることが多いことから、ペットに固有のツールを提供するものではなく、生前のペットを死後においても即座に想起させるものではなかった。そのため、これら従来の技術によって提供される各種葬儀用ツールは、ペットに愛着を有している飼い主にとっては極めて味気ない感が否めないものとなっていた。
【００１０】
また、上述したように、ペット専用の霊園を保有する寺院等による葬儀や死後の供養を行うサービスが提供されているものの、ペットの飼い主から見れば、ペットが逝去してから当該寺院等を探す等の手間を要することになり、これらサービスを有効に利用する環境には到達していないのが現状であった。
【００１１】
さらに、従来の技術においては、ペットの生前から死後に至るまで一貫したサポートを行うサービスは未だ存在しておらず、飼い主と、霊園をはじめとするペットに関連する施設とを有機的に結び付けるようなサービスを提供することは、極めて有効であることが考えられる。
【００１２】
本発明は、このような実情に鑑みてなされたものであり、生前のペットに対するメモリアルツールとして最適な葬儀用ツールを提供するとともに、ペットに関連する施設を有機的に結び付けることによって優れた利便を提供することができるペットメモリアルサービスを実現するペットメモリアル提供システム及びペットメモリアル提供方法、並びに当該ペットメモリアルサービスに関する事業を運営する運営会社が所持するサーバとしての情報処理装置を提供することを目的とする。また、本発明は、ペットメモリアル提供システムにおいてメモリアルツールとして提供される斬新な骨壺、及びこの骨壺を収納する骨壺収納用カバーを提供することを目的とする。
【課題を解決するための手段】
【００１３】
上述した目的を達成する本発明にかかるペットメモリアル提供システムは、生前のペットに対するメモリアルツールとしての葬儀用ツールを提供するペットメモリアル提供システムであって、上記ペットの飼い主であるユーザからの注文に応じて上記メモリアルツールを提供するサービスに関する事業を運営する運営会社が所持するサーバと、上記サーバを介した受注に応じて、少なくともペットの遺骨を納骨する骨壺をはじめとする葬儀用ツールに対して、少なくとも生前のペットを撮像した画像データを含む当該ペットを即座に想起させることに寄与する情報を印刷し、製造した印刷済みの葬儀用ツールを、当該葬儀用ツールを用いて逝去した上記ペットの葬儀を執り行うペット霊園若しくは上記ユーザ、又は葬儀業務を取り扱う葬儀会社に納品する印刷工場が所持する印刷装置とを備えることを特徴としている。
【００１４】
このような本発明にかかるペットメモリアル提供システムは、少なくともペットの遺骨を納骨する骨壺をはじめとする葬儀用ツールに対して、少なくとも生前のペットを撮像した画像データを含む当該ペットを即座に想起させることに寄与する情報を印刷した葬儀用ツールを、メモリアルツールとして提供することにより、生前のペットを死後においても即座に想起させる芸術性の高いペットに固有のツールを提供することができる。
【００１５】
ここで、上記印刷装置は、任意の素材及び形状からなる媒体に対する印刷が可能であることを特徴としている。
【００１６】
これにより、本発明にかかるペットメモリアル提供システムは、紙を媒体とするとともに平面に印刷するタイプの通常のプリンタでは対応することができない印刷を行うことができることから、高精細な印刷を施した骨壺をはじめとする葬儀用ツールを提供することが可能となる。
【００１７】
また、本発明にかかるペットメモリアル提供システムは、上記ペットの飼い主であるユーザが所持するユーザ用端末を備えることを特徴としている。
【００１８】
これにより、本発明にかかるペットメモリアル提供システムにおいては、ユーザがユーザ用端末を介して容易に注文操作を行うことが可能となる。
【００１９】
さらに、上記葬儀用ツールの注文を行うにあたっては、上記ユーザ用端末は、少なくとも生前のペットを撮像した画像データのうち印刷を所望する画像データを上記サーバに対して送信する。
【００２０】
このとき、上記ユーザ用端末は、上記サーバから提供される種別に応じた葬儀用ツールのテンプレート画像に基づいて、注文する上記葬儀用ツールを選定することができる。また、上記サーバは、上記ペットの種別及び大きさに基づいて上記葬儀用ツールを選定し、上記ユーザ用端末を介して上記ユーザに提示するような方式をとることもできる。
【００２１】
これにより、本発明にかかるペットメモリアル提供システムにおいては、ユーザの嗜好に応じて間違いのない葬儀用ツールを当該ユーザに対して提供することができる。
【００２２】
さらにまた、上記葬儀用ツールの注文を行うにあたっては、上記ユーザ用端末は、上記サーバから提供される所定の検索フォームを介して、上記ユーザの住所又は葬儀を執り行いたい地域に基づいて、上記ペット霊園を検索することができる。また、上記ユーザ用端末は、上記サーバから提示されるペット霊園の一覧を示すリストに基づいて、上記ペット霊園を選択することもできる。
【００２３】
これにより、本発明にかかるペットメモリアル提供システムにおいては、ユーザの所望するペット霊園を容易に手配可能な環境を実現することができる。
【００２４】
そして、上記サーバは、上記ユーザ用端末を介した上記ユーザからの注文に応じて、上記少なくとも生前のペットを撮像した画像データを含む当該ペットを即座に想起させることに寄与する情報を合成して所定の加工処理を施した上記葬儀用ツールのプレビュー画像を、上記ユーザ用端末に対して送信する。
【００２５】
これにより、本発明にかかるペットメモリアル提供システムにおいては、ユーザに対して注文の意思表示の前段階での確認を促すことができる。
【００２６】
また、本発明にかかるペットメモリアル提供システムにおいて、上記ユーザ用端末は、上記ペットを撮像した静止画像データ、録画した動画像データ、録音した音声データ、及び／又は文字データを、上記サーバにアップロードし、これらアップロードした静止画像データ、動画像データ、音声データ、及び／又は文字データを任意にダウンロードすることができる。
【００２７】
このように、本発明にかかるペットメモリアル提供システムにおいては、ペットに関する各種情報をサーバに一元管理させることにより、ユーザ用端末の資源が乏しい場合であっても、多量の情報を保持しているのと同等の環境を得ることができ、ユーザがこれらの情報を任意の時間・場所においていわばアルバム感覚で視聴することが可能となる。
【００２８】
このとき、上記葬儀用ツールの注文を行うにあたっては、上記ユーザ用端末は、アップロードした静止画像データの中から印刷を所望する画像データを選択することができ、利便を向上させることができる。
【００２９】
さらに、本発明にかかるペットメモリアル提供システムにおいて、上記印刷装置は、上記サーバを介した受注に応じて、生前のペットに関連する施設が上記ユーザに対して販売する上記ペットに固有の商品であり、少なくとも生前のペットを撮像した画像データを印刷した商品を製造することができる。すなわち、本発明にかかるペットメモリアル提供システムにおいては、生前のペットに関連する施設とサーバとをネットワーク化し、当該施設が上記ユーザに対してペットに固有の商品を販売する環境を提供することができる。
【００３０】
このように、本発明にかかるペットメモリアル提供システムにおいては、生前のペットに関連する施設が当該ペットに固有の商品をユーザに販売することができることから、付加価値が極めて高い商品をユーザに提供することができ、当該施設と同業他社との差別化を図ることができる。
【００３１】
このとき、上記サーバは、上記施設からの依頼に応じて、当該施設に関する情報を上記ユーザに配信することもできる。
【００３２】
このように、本発明にかかるペットメモリアル提供システムにおいては、施設に関する情報の配信を、運営会社に依頼することにより、当該施設が負うべき煩雑な手間を省くことができ、効率よく情報の配信を行うことができる。
【００３３】
さらにまた、本発明にかかるペットメモリアル提供システムにおいて、上記サーバは、上記ペット霊園からの依頼に応じて、上記ペットの死後の供養に関する行事情報を上記ユーザに配信することができる。
【００３４】
このように、本発明にかかるペットメモリアル提供システムにおいては、ペットの死後の供養に関する行事情報の配信を、運営会社に依頼することにより、ペット霊園が負うべき煩雑な手間を省くことができ、効率よく情報の配信を行うことができる。
【００３５】
このとき、上記サーバは、上記ペット霊園からの配信依頼に応じて、供養を執り行うべき日程が所定日数以内に迫っているユーザを選別し、該当するユーザに配信することができ、ペット霊園の利便をより向上させることができる。
【００３６】
また、本発明にかかるペットメモリアル提供システムにおいて、上記サーバは、上記ユーザからの注文に応じて、上記メモリアルツールとしての骨壺を収納する骨壺収納用カバーの製造を、所定の製造工場に対して発注することもできる。特に、この骨壺収納用カバーとしては、本体の一部領域に、当該本体に収納された骨壺に印刷されている上記情報を視認可能とする透明フィルムが設けられたものを製造するのが望ましい。
【００３７】
これにより、本発明にかかるペットメモリアル提供システムにおいては、注文された骨壺にさらなる付加価値を与えることができる。すなわち、本発明にかかるペットメモリアル提供システムにおいては、ユーザにとって愛着が沸き親しみのあるツールを提供することができる。また、本発明にかかるペットメモリアル提供システムにおいては、万が一地震等に遭遇し、当該骨壺に対して落下等の衝撃が加えられてしまった場合であっても、その衝撃を和らげることができ、また、たとえ骨壺が破壊されてしまった場合であっても、収納されたペットの遺骨が周囲に散乱してしまうことがなく、保管の安心感を著しく向上させることができる。
【００３８】
また、上述した目的を達成する本発明にかかるペットメモリアル提供方法は、生前のペットに対するメモリアルツールとしての葬儀用ツールを提供するペットメモリアル提供方法であって、上記メモリアルツールを提供するサービスに関する事業を運営する運営会社が所持するサーバを介して、上記ペットの飼い主であるユーザからの上記葬儀用ツールの注文を受注し、上記サーバを介した受注に応じて、所定の印刷工場が所持する印刷装置を用いて、少なくともペットの遺骨を納骨する骨壺をはじめとする葬儀用ツールに対して、少なくとも生前のペットを撮像した画像データを含む当該ペットを即座に想起させることに寄与する情報を印刷し、製造した印刷済みの葬儀用ツールを、当該葬儀用ツールを用いて逝去した上記ペットの葬儀を執り行うペット霊園若しくは上記ユーザ、又は葬儀業務を取り扱う葬儀会社に納品することを特徴としている。
【００３９】
このような本発明にかかるペットメモリアル提供方法は、少なくともペットの遺骨を納骨する骨壺をはじめとする葬儀用ツールに対して、少なくとも生前のペットを撮像した画像データを含む当該ペットを即座に想起させることに寄与する情報を印刷した葬儀用ツールを、メモリアルツールとして提供することにより、生前のペットを死後においても即座に想起させる芸術性の高いペットに固有のツールを提供することが可能となる。
【００４０】
さらに、上述した目的を達成する本発明にかかる情報処理装置は、生前のペットに対するメモリアルツールとしての葬儀用ツールを提供するサービスに関する事業を運営する運営会社が所持するサーバとしての情報処理装置であって、上記ペットの飼い主であるユーザからの注文に応じて、少なくとも生前のペットを撮像した画像データを含む当該ペットを即座に想起させることに寄与する情報を印刷した少なくともペットの遺骨を納骨する骨壺をはじめとする葬儀用ツールを、上記メモリアルツールとして受注し、所定の印刷工場に対して、上記葬儀用ツールの製造を発注する手段と、上記ユーザからの注文に応じて、注文に関する各種情報を顧客データベースとして保持する手段とを備えることを特徴としている。
【００４１】
このような本発明にかかる情報処理装置は、少なくともペットの遺骨を納骨する骨壺をはじめとする葬儀用ツールに対して、少なくとも生前のペットを撮像した画像データを含む当該ペットを即座に想起させることに寄与する情報を印刷した葬儀用ツールを、メモリアルツールとして提供することができることから、生前のペットを死後においても即座に想起させる芸術性の高いペットに固有のツールを提供するサービスを実現することができる。
【００４２】
さらにまた、上述した目的を達成する本発明にかかるペットメモリアル提供システムは、生前のペットに対するメモリアルツールとしての葬儀用ツールを提供するペットメモリアル提供システムであって、上記ペットの飼い主であるユーザからの注文に応じて上記メモリアルツールを提供するサービスに関する事業を運営する運営会社が所持するサーバと、上記サーバを介した受注に応じて、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを製造し、製造した印刷済みのシール又は上記シールを貼付した葬儀用ツールを、当該葬儀用ツールを用いて逝去した上記ペットの葬儀を執り行うペット霊園若しくは上記ユーザ、又は葬儀業務を取り扱う葬儀会社に納品する印刷工場が所持する印刷装置とを備えることを特徴としている。
【００４３】
このような本発明にかかるペットメモリアル提供システムは、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを製造することにより、生前のペットを死後においても即座に想起させる芸術性の高いペットに固有のツールを提供することができる。
【００４４】
また、上述した目的を達成する本発明にかかるペットメモリアル提供方法は、生前のペットに対するメモリアルツールとしての葬儀用ツールを提供するペットメモリアル提供方法であって、上記メモリアルツールを提供するサービスに関する事業を運営する運営会社が所持するサーバを介して、上記ペットの飼い主であるユーザからの注文を受注し、上記サーバを介した受注に応じて、所定の印刷工場が所持する印刷装置を用いて、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを製造し、製造した印刷済みのシール又は上記シールを貼付した葬儀用ツールを、当該葬儀用ツールを用いて逝去した上記ペットの葬儀を執り行うペット霊園若しくは上記ユーザ、又は葬儀業務を取り扱う葬儀会社に納品することを特徴としている。
【００４５】
このような本発明にかかるペットメモリアル提供方法は、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを製造することにより、生前のペットを死後においても即座に想起させる芸術性の高いペットに固有のツールを提供することが可能となる。
【００４６】
さらに、上述した目的を達成する本発明にかかる情報処理装置は、生前のペットに対するメモリアルツールとしての葬儀用ツールを提供するサービスに関する事業を運営する運営会社が所持するサーバとしての情報処理装置であって、上記ペットの飼い主であるユーザからの注文に応じて、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを受注し、所定の印刷工場に対して、上記シールの製造を発注する手段と、上記ユーザからの注文に応じて、注文に関する各種情報を顧客データベースとして保持する手段とを備えることを特徴としている。
【００４７】
このような本発明にかかる情報処理装置は、少なくともペットの遺骨を納骨する骨壺をはじめとする葬儀用ツールに対して貼付可能なシールであって少なくとも生前のペットを撮像した画像データを含む当該ペットを即座に想起させることに寄与する情報を印刷したシールを製造することができることから、生前のペットを死後においても即座に想起させる芸術性の高いペットに固有のツールを提供するサービスを実現することができる。
【００４８】
さらにまた、上述した目的を達成する本発明にかかる骨壺は、少なくともペットの遺骨を納骨する骨壺であって、曲面又は複数の平面の組み合わせからなる側壁を有する本体と、蓋体とを備え、上記本体の側壁には、少なくとも生前のペットを撮像した画像データを含む当該ペットを即座に想起させることに寄与する情報が印刷されている、又は上記情報が印刷されたシールが貼付されていることを特徴としている。
【００４９】
このような本発明にかかる骨壺は、本体の側壁に、少なくとも生前のペットを撮像した画像データを含む当該ペットを即座に想起させることに寄与する情報が印刷されている、又は情報が印刷されたシールが貼付されていることから、生前のペットを死後においても即座に想起させる芸術性の高いペットに固有のツールとして用いることができる。
【００５０】
また、上述した目的を達成する本発明にかかる骨壺収納用カバーは、少なくともペットの遺骨を納骨する骨壺を収納する骨壺収納用カバーであって、袋物状又は箱状に形成された本体と、上記本体の一部領域に設けられた透明フィルムと、上記本体の上側開口部に沿って紐通しに通された紐体とを備え、上記骨壺の本体側壁には、少なくとも生前のペットを撮像した画像データを含む当該ペットを即座に想起させることに寄与する情報が印刷されている、又は上記情報が印刷されたシールが貼付されており、当該骨壺収納用カバーは、上記本体に収納された上記骨壺に印刷又はシールとして貼付されている上記情報が上記透明フィルムを介して視認可能な状態で、当該骨壺を収納することを特徴としている。
【００５１】
このような本発明にかかる骨壺収納用カバーは、骨壺の本体側壁に、少なくとも生前のペットを撮像した画像データを含む当該ペットを即座に想起させることに寄与する情報が印刷されている、又は情報が印刷されたシールが貼付されており、この情報を透明フィルムを介して視認可能な状態で、当該骨壺を収納することから、当該骨壺にさらなる付加価値を与えることができる。すなわち、本発明にかかる骨壺収納用カバーにおいては、ユーザにとって愛着が沸き親しみのあるツールを提供することができる。また、本発明にかかる骨壺収納用カバーにおいては、万が一地震等に遭遇し、当該骨壺に対して落下等の衝撃が加えられてしまった場合であっても、その衝撃を和らげることができ、また、たとえ骨壺が破壊されてしまった場合であっても、収納されたペットの遺骨が周囲に散乱してしまうことがなく、保管の安心感を著しく向上させることができる。
【発明の効果】
【００５２】
本発明は、少なくともペットの遺骨を納骨する骨壺をはじめとする葬儀用ツールに対して、少なくとも生前のペットを撮像した画像データを含む当該ペットを即座に想起させることに寄与する情報を印刷又はシールとして貼付した葬儀用ツールを、メモリアルツールとして提供することにより、生前のペットを死後においても即座に想起させる芸術性の高いペットに固有のツールを提供することができることから、生前のペットに対するメモリアルツールとして最適な葬儀用ツールを提供することができ、ペットに愛着を有しているユーザにとって満足感のある供養の場を提供することができる。
【００５３】
また、本発明は、ユーザと、ペット霊園や生前のペットに関連する施設とを、運営会社を介して有機的に結び付けることにより、ユーザのみならず、これらペット霊園や生前のペットに関連する施設に対しても、優れた利便を提供することができる。
【発明を実施するための最良の形態】
【００５４】
以下、本発明を適用した具体的な実施の形態について図面を参照しながら詳細に説明する。
【００５５】
この実施の形態は、生前のペットに対するメモリアルツールとしての葬儀用ツールを提供し、寺院等が保有するペット霊園における葬儀の手続きを行うペットメモリアルサービスを提供するペットメモリアル提供システムである。このペットメモリアル提供システムは、任意の素材及び形状からなる媒体に対して高精細な印刷を可能とする技術を利用することにより、少なくともペットの遺骨を納骨する骨壺をはじめとする葬儀用ツールに対して、生前のペットを撮像した画像データを含む当該ペットを即座に想起させることに寄与する情報を印刷し、又は当該葬儀用ツールに対して貼付可能な同情報を印刷したシールを製造し、芸術性の高い当該ペットに固有の葬儀用ツールを提供するものである。また、このペットメモリアル提供システムは、飼い主と、葬儀の際に使用するペット霊園の他、ペットに関連する各種施設とを有機的に結び付け、ペットの葬儀時における葬儀用ツールの提供のみならず、ペットの生前から死後に至るまでの独自のサポートを行うものである。
【００５６】
なお、葬儀用ツールとしては、骨壺の他にも、例えば、納骨扉、塔婆、位牌、遺影といったように、様々なものを適用することができるが、以下では、説明の便宜上、葬儀用ツールとして、主として骨壺を採用して説明するものとする。また、以下では、説明の便宜上、主に、生前のペットを撮像した画像データを含む当該ペットを即座に想起させることに寄与する情報を印刷した葬儀用ツールを提供するものとして説明するものとする。さらに、以下では、生前のペットに関連する各種施設として、ペットショップ及び動物病院を対象として説明するものとする。
【００５７】
ペットメモリアル提供システムは、図１に示すように、ペットメモリアルサービスに関する事業を統括的に運営する運営会社ＨＱと、骨壺に対して生前のペットを撮像した画像データを含む各種情報を印刷する印刷工場ＰＦと、ペットの飼い主たるユーザＵＳと、逝去したペットの葬儀を執り行うペット霊園ＣＭと、ペットを販売するペットショップＰＳと、ペットの治療に携わる動物病院ＡＨとを備える。
【００５８】
運営会社ＨＱは、ペットメモリアルサービスに関する事業を統括的に運営するものであり、ユーザＵＳから注文された少なくとも骨壺を含む葬儀用ツールの製造を受注するものである。
【００５９】
具体的には、運営会社ＨＱは、主に、生前のペットを撮像した画像データとともに、必要に応じて当該ペットの名前や命日といった文字データからなる各種情報を骨壺ＵＲＰに対して印刷することにより、生前のペットに対するメモリアルツールとしての骨壺ＵＲＡを製造し、ペット霊園ＣＭやユーザＵＳに対して納品するサービスを提供する。なお、印刷前の骨壺ＵＲＰは、特に図示しないが、所定の企業や陶芸家等から調達することによって運営会社ＨＱが保有しているものである。
【００６０】
運営会社ＨＱは、このようなサービスを所定のウェブサイトを介して提供するために、各種データベースとともにサーバ１０を所持する。運営会社ＨＱは、詳細は後述するが、ユーザＵＳが飼育しているペットが逝去するのにともない、ウェブサイトを介して当該ユーザＵＳから骨壺ＵＲＡの注文があると、この注文をサーバ１０によって受注し、印刷工場ＰＦに対して、当該骨壺ＵＲＡの製造を発注する。
【００６１】
このとき、運営会社ＨＱは、ユーザＵＳからの注文に応じて、例えば図２に示すように、注文日、ユーザＵＳの氏名及びその住所、ペットの種類や大きさ等のペットの種別及びその名前、ペットの命日、葬儀を執り行うペット霊園ＣＭの名称、葬儀日、合同火葬又は個別火葬の別や納骨堂の利用の有無といった葬儀形式、骨壺ＵＲＡをはじめとするメモリアルツールとして注文された葬儀用ツールの種別及び個数、納品日、料金、クレジットカード番号や金融機関への振り込みといった決済方法の種別、骨壺ＵＲＰに対して印刷すべき各種印刷用情報といった注文に関する各種情報を、顧客データベースとして保持する。
【００６２】
なお、以下では、このようなペットが逝去した際にメモリアルツールとしての骨壺ＵＲＡを提供するサービスを、「メモリアルツール提供サービス」と称するものとする。
【００６３】
また、運営会社ＨＱは、ペットの生前におけるサービスも展開する。
【００６４】
具体的には、運営会社ＨＱは、ウェブサイトを介してユーザＵＳが、ペットを撮像した静止画像データや録画した動画像データ、録音した音声データ、及び／又は当該ペットに関する日記等を記した文字データ等の各種情報をアップロードするのにともない、これら静止画像データ、動画像データ、音声データ、及び／又は文字データ等の各種情報を、当該ユーザＵＳが任意に視聴可能な状態でサーバ１０によって管理する。このとき、運営会社ＨＱは、受け付けた静止画像データ、動画像データ、音声データ、及び／又は文字データ等の各種情報をデータベース化して保持するとともに、例えば図３に示すように、ユーザＵＳの氏名及びその住所、ペットの種別及びその名前といった、ユーザＵＳ及びペットに関する情報に対応付けて、受け付けた静止画像データ、動画像データ、音声データ、及び／又は文字データ等の各種情報に対するリンク情報を、顧客データベースとして保持する。そして、運営会社ＨＱは、これら管理している静止画像データ、動画像データ、音声データ、及び／又は文字データを、ユーザＵＳの要求に応じてダウンロードする。
【００６５】
また、運営会社ＨＱは、必要に応じて、ペットショップＰＳや動物病院ＡＨに対して顧客情報を提供し、詳細は後述するが、当該ペットショップＰＳ又は当該動物病院ＡＨがユーザＵＳに対して販売するペットに固有の商品ＧＤＰの製造に寄与する。
【００６６】
なお、以下では、このようなペットの生前において提供されるサービスを「生前サービス」と称するものとする。
【００６７】
さらに、運営会社ＨＱは、ペットの死後におけるサービスも展開する。
【００６８】
具体的には、運営会社ＨＱは、必要に応じて、当該ペット霊園ＣＭに対して顧客情報を提供し、詳細は後述するが、当該ペット霊園ＣＭがユーザＵＳに対して例えばいわゆる四十九日や一周忌等の各種法要といった死後の供養に関する行事の配信を行うことに寄与する。
【００６９】
なお、以下では、このようなペットの死後において提供されるサービスを「檀家サービス」と称するものとする。
【００７０】
このような運営会社ＨＱは、ユーザＵＳ、ペット霊園ＣＭ、ペットショップＰＳ、及び動物病院ＡＨとの間でサーバ１０を介して各種情報の授受を行い、メモリアルツール提供サービスとともに、生前サービス及び檀家サービスを提供する。
【００７１】
なお、運営会社ＨＱは、骨壺ＵＲＡをはじめとする各種取扱商品の展示・販売を行うアンテナショップを設置することにより、ペットメモリアルサービスを効率よく周知させることができる。
【００７２】
印刷工場ＰＦは、運営会社ＨＱにおける部門の一部として設けられる工場、又は当該運営会社ＨＱと提携している工場として位置付けられるものであり、当該運営会社ＨＱの発注を所定の工場用端末２０を介して受け付け、骨壺ＵＲＰに対して生前のペットを撮像した画像データを含む各種情報を印刷し、メモリアルツールとしての印刷済みの骨壺ＵＲＡを製造する業務を請け負う。なお、ここで注目すべきは、「骨壺ＵＲＡは、元となる骨壺ＵＲＰに対して、生前のペットを描いたりしたものではなく、所定のプリンタを用いて印刷したものである」ということである。
【００７３】
ここで、骨壺ＵＲＰとしては、例えば、素焼きの陶磁器やプラスチック等を素材として構成されるものが多い。また、骨壺ＵＲＰとしては、外観についても、図４(ａ)に示すように、円筒状からなる本体２２ａと、蓋体２２ｂとからなるものや、同図(ｂ)に示すように、多角柱筒状からなる本体２３ａと、蓋体２３ｂとからなるものといったように、曲面や複数の平面の組み合わせからなる側壁を有するものが多い。そのため、このような骨壺ＵＲＰに対して画像データをはじめとする各種情報を印刷するにあたっては、紙を媒体とするとともに平面に印刷するタイプの通常のプリンタでは対応することができない。
【００７４】
そこで、印刷工場ＰＦは、骨壺ＵＲＰに対して画像データをはじめとする各種情報を印刷するために、任意の素材及び形状からなる媒体に対して高精細な印刷を可能とする印刷装置であるプリンタ２１を設けている。このプリンタ２１は、紙は勿論のこと、例えば、布、金属、段ボール、アクリル製凹凸板、ガラス、波板、木板、タイル、陶磁器、プラスチック、皮革、ゴム、発泡素材、スチレンボード、簾、障子、ゴルフボール、付け爪素材といった様々な媒体に対して印刷を行うことが可能であり、また、平面のみならず曲面や複数の平面にまたがった場合であっても高精細な印刷を行うことが可能とされるものである。
【００７５】
具体的には、このプリンタ２１としては、例えば特開２０００−１９０４６７号公報に記載されているようなインクジェット方式のプリンタ等を用いることができ、より具体的には、同公報の特許出願人である株式会社マスターマインドが開発したインクジェット方式プリンタである"ＯＺ  ＣＲＥＡＴＯＲ  ＭＭＰ１３０００"、"ＯＺ  ＣＲＥＡＴＯＲ  ＭＭＰ２４０００"、"ＯＺ  ＣＲＥＡＴＯＲ  ＭＭＰ４４０００"、"ＯＺ  ＣＲＥＡＴＯＲ  ＭＭＰ７４０００"といった所定の顔料インクや染料インクによる印刷を行うプリンタを用いることができる。また、このプリンタ２１としては、特開２００１−２０５７９４号公報に記載されているように、円柱体等の周囲をヘッドが周回して印刷を行うようなものを用いることにより、極めて効率的に骨壺ＵＲＰに対する印刷を行うことが可能となる。
【００７６】
印刷工場ＰＦは、運営会社ＨＱの発注に応じて、例えば、図５(ａ)及び同図(ｂ)に示すように、骨壺ＵＲＰの側壁のうち所定のアンダーコートを塗布した塗布面上に、このようなプリンタ２１を用いて、生前のペットを撮像した画像データや当該ペットの名前等の文字データからなる印刷用情報２２ｃ，２３ｃを印刷し、さらに、所定のトップコートを塗布することによって印刷済みの骨壺ＵＲＡを製造する。これにより、骨壺ＵＲＡは、衝撃や経時にともなう印刷面の褪色といった劣化に対して極めて優れた耐性を有するとともに、耐水性にも優れたものとなる。また、印刷工場ＰＦは、必要に応じて、例えば図６に示すように、当該骨壺ＵＲＡの識別を容易とするために、骨壺ＵＲＡにおける印刷用情報２２ｃ，２３ｃを印刷した面と対向する背面側に、ペットの名前や施主名等の情報を印刷した管理用シール２２ｄを封緘紙として貼付する。
【００７７】
そして、印刷工場ＰＦは、製造した骨壺ＵＲＡを、所定の運輸手段を用いて、ペット霊園ＣＭに搬送するか、又はユーザＵＳが直接の引き渡しを希望する場合には当該ユーザＵＳに搬送することによって納品する。
【００７８】
ユーザＵＳは、例えばパーソナルコンピュータや携帯電話機や携帯情報端末機（Personal Digital Assistant；ＰＤＡ）といった自己が所持するユーザ用端末３０を介してサーバ１０にアクセスすることにより、ペットメモリアルサービスにおける各種サービスを享受するものである。
【００７９】
具体的には、ユーザＵＳは、上述したメモリアルツール提供サービスを利用する場合には、詳細は後述するが、ユーザ用端末３０を介してサーバ１０にアクセスし、上述したウェブサイトを介してメモリアルツールとしての骨壺ＵＲＡを注文する。このとき、ユーザＵＳは、少なくとも生前のペットを撮像した画像データのうち印刷を所望する画像データをはじめとする、骨壺ＵＲＡの注文に必要な各種情報を、ウェブサイトを介して注文情報として入力する。また、ユーザＵＳは、生前サービスを利用している場合には、生前のペットを撮像した画像データ等がサーバ１０に格納されていることから、これらの画像データの中から嗜好に応じて選択し、この画像データを印刷するために用いることもできる。
【００８０】
また、ユーザＵＳは、上述した生前サービスを利用する場合には、ユーザ用端末３０を介してサーバ１０にアクセスし、ペットを撮像した静止画像データや録画した動画像データ、録音した音声データ、及び／又は当該ペットに関する日記等を記した文字データ等の各種情報を、ウェブサイトを介してサーバ１０にアップロードする。そして、ユーザＵＳは、これらアップロードした静止画像データ、動画像データ、音声データ。及び／又は文字データを視聴したい場合には、ユーザ用端末３０を介してサーバ１０にアクセスし、ウェブサイトを介して任意のデータを選択し、ダウンロードする。
【００８１】
このように、ユーザＵＳは、ペットに関する各種情報をサーバ１０に一元管理させることにより、ユーザ用端末３０の資源が乏しい場合であっても、多量の情報を保持しているのと同等の環境を得ることができ、これらの情報を任意の時間・場所においていわばアルバム感覚で視聴することができる。
【００８２】
また、ユーザＵＳは、ペットショップＰＳや動物病院ＡＨを介した生前サービスを利用することができる。この生前サービスは、骨壺ＰＲＡと同様に、例えば携帯電話機に付すストラップ等の各種商品に対してペットの画像データ等を印刷したり、当該画像データ自体を写真として印刷したりすることにより、当該ペットに固有の商品ＧＤＰを製造し、これら商品ＧＤＰをペットショップＰＳや動物病院ＡＨといった、ペットに関連する施設が販売するものである。この場合、ユーザＵＳは、ユーザ用端末３０を介してサーバ１０にアクセスし、所定のウェブサイトを介して商品ＧＤＰを注文する。この注文は、上述した骨壺ＵＲＡの注文と略同様に行うことができる。また、ユーザＵＳは、ペットショップＰＳや動物病院ＡＨが当該ユーザＵＳに関する顧客情報を運営会社ＨＱから取得することにより、これらペットショップＰＳや動物病院ＡＨからの広告やお知らせ等の情報を、サーバ１０を介してメール等の形態で受け取ることも可能となる。
【００８３】
さらに、ユーザＵＳは、上述した檀家サービスを利用する場合には、ペット霊園ＣＭが当該ユーザＵＳに関する顧客情報を運営会社ＨＱから取得することにより、当該ペット霊園ＣＭから死後の供養に関する行事の通知を、サーバ１０を介してメール等の形態で受け取ることができる。
【００８４】
ペット霊園ＣＭは、逝去したペットの葬儀を執り行い、ペットメモリアルサービスを享受するユーザＵＳを檀家として迎え入れる施設として位置付けられるものである。ペット霊園ＣＭは、逝去したペットの葬儀を執り行う旨を決定した場合には、当該ペットを引き取って火葬し、印刷工場ＰＦから搬送された骨壺ＵＲＡに遺骨を納骨して葬儀を執り行う。
【００８５】
また、ペット霊園ＣＭは、檀家サービスとして、自己が所持する霊園用端末４０を介してユーザＵＳに関する顧客情報を運営会社ＨＱから取得するとともに、死後の供養に関する行事情報を、サーバ１０を介してユーザＵＳに配信することもできる。このように、ペット霊園ＣＭは、死後の供養に関する行事情報の配信を、運営会社ＨＱに依頼することにより、煩雑な手間を省くことができ、効率よく情報の配信を行うことができる。
【００８６】
ペットショップＰＳ又は動物病院ＡＨは、それぞれ、ペットメモリアルサービスを享受するユーザＵＳを自己の顧客とする施設として位置付けられるものである。ペットショップＰＳ又は動物病院ＡＨは、それぞれ、生前サービスとして、自己が所持するショップ用端末５０又は病院用端末６０を介してユーザＵＳに関する顧客情報を運営会社ＨＱから取得するとともに、運営会社ＨＱがデータベースとして保持しているペットを撮像した画像データやユーザＵＳ自身から直接入手した画像データ等を印刷した商品ＧＤＰの注文を行う。これに際して、ペットショップＰＳ又は動物病院ＡＨは、それぞれ、当該商品ＧＤＰを販売する旨を示す情報を、サーバ１０を介してユーザＵＳに配信することもできる。このように、ペットショップＰＳ又は動物病院ＡＨは、それぞれ、ペットに固有の商品ＧＤＰをユーザＵＳに販売する環境を得ることができることから、付加価値を極めて向上させることができ、同業他社との差別化を図ることができる。
【００８７】
また、ペットショップＰＳ又は動物病院ＡＨは、それぞれ、新商品の入荷情報や予防注射の案内情報といったように、広告やお知らせ等の情報を、サーバ１０を介してユーザＵＳに配信することもできる。このように、ペットショップＰＳ及び動物病院ＡＨは、それぞれ、これら情報の配信を、運営会社ＨＱに依頼することにより、煩雑な手間を省くことができ、効率よく情報の配信を行うことができる。
【００８８】
さて、このような各者からなるペットメモリアル提供システムにおいては、具体的には以下のような一連の工程を経ることにより、上述したメモリアルツール提供サービス、生前サービス、及び檀家サービスを実現する。
【００８９】
まず、メモリアルツール提供サービスについて説明する。
【００９０】
ペットメモリアル提供システムにおいては、図７に示すような一連の工程を経ることにより、メモリアルツール提供サービスを行う。
【００９１】
すなわち、ペットメモリアル提供システムにおいては、メモリアルツール提供サービスを行うにあたっては、同図に示すように、ステップＳ１において、ユーザＵＳによる注文処理を行う。
【００９２】
具体的には、ユーザＵＳは、ユーザ用端末３０を介してサーバ１０にアクセスし、注文用のウェブサイトを当該ユーザ用端末３０の表示画面に表示させる。そして、ユーザＵＳは、骨壺ＵＲＡの注文に必要な各種情報を、ウェブサイトを介して注文情報ＯＤとして入力し、ユーザ用端末３０を介して運営会社ＨＱにおけるサーバ１０に対して送信する。この注文情報ＯＤとしては、印刷を所望する生前のペットを撮像した画像データの他、ユーザＵＳ及びペットの情報や骨壺ＵＲＡのサイズや個数といった骨壷ＵＲＡに関する情報等が挙げられる。このとき、ユーザＵＳは、ウェブサイトを介して提供される所定の基本情報入力フォームを介して注文情報ＯＤを入力することができる。また、ユーザＵＳは、生前のペットを撮像した画像データに合成すべきフレーム画像等を、ウェブサイトを介して提供されるテンプレート画像から選択し、注文情報ＯＤとすることもできる。
【００９３】
なお、骨壷ＵＲＡの選定にあたっては、ユーザＵＳがウェブサイトを介してサーバ１０から提供される種別に応じた骨壺のテンプレート画像等を閲覧することにより、自己の判断で行うようにしてもよく、また、ペットの種別及び大きさに基づいてサーバ１０が判断し、この判断結果をユーザＵＳに提示するようにしてもよい。
【００９４】
また、ユーザＵＳは、葬儀を執り行うペット霊園ＣＭを指定することもできるが、予め葬儀を希望するペット霊園が決まっている場合には、その旨を注文情報ＯＤとして入力することができる。一方、ユーザＵＳは、葬儀を希望するペット霊園が決まっていない場合には、ペット霊園を検索することができる。この場合、ユーザＵＳは、ウェブサイトを介して提供される所定の検索フォームを介して当該ユーザＵＳの住所や葬儀を執り行いたい地域、さらには必要に応じて当該ユーザＵＳの宗派等の情報を入力することにより、運営会社ＨＱからサーバ１０を介して当該住所及び地域に合致したペット霊園ＣＭに関する情報を取得することができる。また、ペット霊園の選定にあたっては、予めペット霊園の一覧を示すリストを提示し、このリストからユーザＵＳが所望のペット霊園を選択するような方式としてもよい。
【００９５】
さらに、ユーザＵＳは、骨壷ＵＲＡ以外のメモリアルツールであって例えば塔婆のようなペット霊園ＣＭに固有のツールを注文したい場合には、ペット霊園別に情報を入力するための所定の霊園別フォームを介して注文可能なツールを検索し、提示された情報の中から所望のツールを指定することもできる。
【００９６】
一方、運営会社ＨＱは、ユーザＵＳから注文情報ＯＤを受け取ると、少なくともペットの画像データを合成して例えば輪郭ぼかしや解像度変換等の所定の加工処理を施した骨壷ＵＲＡのプレビュー画像とともに、納品日及び葬儀日、料金、個数、及び葬儀形式をユーザＵＳに確認させるための確認情報ＣＫ１を、サーバ１０を介してユーザＵＳが所持するユーザ用端末３０に対して送信する。ここで、運営会社ＨＱは、バックグラウンドの処理として、ペット霊園ＣＭから葬儀の受け入れ可能な日にちについての情報を取得しており、この情報に基づいて、葬儀日や葬儀形式等を決定する。
【００９７】
ユーザＵＳは、プレビュー画像に基づいて、骨壷ＵＲＡの印刷レイアウト等を適宜変更した上で、上述した確認情報ＣＫ１の内容を承諾した場合には、決済方法を指定するための決済情報ＳＡを、ユーザ用端末３０を介して運営会社ＨＱにおけるサーバ１に対して送信し、これに応じて、運営会社ＨＱは、決済に関する確認情報ＣＫ２を、サーバ１０を介してユーザＵＳが所持するユーザ用端末３０に対して送信する。
【００９８】
そして、ユーザＵＳは、最終的に注文を決定した場合には、最終注文意思情報ＩＴを、ユーザ用端末３０を介して運営会社ＨＱにおけるサーバ１に対して送信し、注文処理を終了する。
【００９９】
ペットメモリアル提供システムにおいては、このようなユーザＵＳによる注文処理が終了すると、ステップＳ２において、この注文に応じた運営会社ＨＱによる受注処理を行う。運営会社ＨＱは、ユーザＵＳからの注文を受注すると、少なくとも、印刷を所望する生前のペットを撮像した画像データの他、ユーザＵＳの情報、ペットの名前、印刷レイアウト、納品日等の情報からなる印刷依頼情報ＲＱＰを、サーバ１０を介して印刷工場ＰＦにおける工場用端末２０に対して送信する。
【０１００】
続いて、ペットメモリアル提供システムにおいては、ステップＳ３において、印刷工場ＰＦによって印刷及び加工処理を行う。印刷工場ＰＦは、骨壷ＵＲＡを製造すると、搬送を指示されたペット霊園ＣＭ又はユーザＵＳに当該骨壷ＵＲＡを納品するとともに、納品が終了した旨を示す納品情報ＤＬを、工場用端末２０を介して運営会社ＨＱにおけるサーバ１０に対して送信する。これに応じて、運営会社ＨＱは、葬儀を依頼するユーザＵＳに関する顧客情報ＣＴを、サーバ１０を介してペット霊園ＣＭにおける霊園用端末４０に対して送信する。
【０１０１】
そして、ペットメモリアル提供システムにおいては、ステップＳ４において、ペット霊園ＣＭによって葬儀を執り行い、一連の処理を終了する。
【０１０２】
ペットメモリアル提供システムにおいては、このような手続きを経ることにより、メモリアルツール提供サービスを実現することができる。ユーザＵＳは、このメモリアルツール提供サービスを利用することにより、生前のペットを死後においても即座に想起させる当該ペットに固有のツールを取得することができ、また、葬儀に関する準備の手間を著しく低減することができる。また、ペット霊園ＣＭにとっても、ユーザＵＳを檀家として迎え入れる環境を容易に得ることができ、集客率の向上を図ることができる。
【０１０３】
つぎに、生前サービスについて説明する。
【０１０４】
ペットメモリアル提供システムにおいては、図８に示すような一連の工程を経ることにより、生前サービスを行う。
【０１０５】
すなわち、ペットメモリアル提供システムにおいては、生前サービスを行うにあたっては、同図に示すように、ペットショップＰＳ又は動物病院ＡＨからユーザＵＳに対してペットメモリアルサービスの紹介情報ＩＤが提供される。この紹介情報ＩＤは、例えば、ペットメモリアルサービスを享受するためのウェブサイトのＵＲＬ（Uniform Resource Locator）等であり、ユーザＵＳがペットショップＰＳからペットを購入した際や動物病院ＡＨにて治療を受けた際に、当該ペットショップＰＳや動物病院ＡＨから配布されたパンフレットやメール等の手段を介して提供することができる。また、ペットショップＰＳ又は動物病院ＡＨは、運営会社ＨＱにおけるサーバ１０を介して、この紹介情報ＩＤを提供するようにしてもよい。
【０１０６】
これに応じて、ユーザＵＳは、ユーザ用端末３０を介して当該ユーザＵＳの情報ＵＰを運営会社ＨＱにおけるサーバ１０に対して送信することにより、生前サービスをはじめとするペットメモリアルサービスを享受することが可能となり、上述したように、ペットの静止画像データ、動画像データ、音声データ、及び／又は文字データといったペットに関する各種情報をサーバ１０に一元管理させるサービスを享受することができる。
【０１０７】
また、ペットショップＰＳ又は動物病院ＡＨは、必要に応じて、ショップ用端末５０又は病院用端末６０を介してサーバ１０にアクセスすることにより、ユーザＵＳに関する顧客情報ＣＴを閲覧することが可能とされる。これにより、ペットショップＰＳ又は動物病院ＡＨは、ペットを撮像した画像データ等を印刷した商品ＧＤＰの販売のターゲットとしてユーザＵＳを囲い込むことが可能となる。
【０１０８】
そして、ペットメモリアル提供システムにおいては、ユーザＵＳからペットショップＰＳ又は動物病院ＡＨに対して、商品ＧＤＰの購入の申し出があった場合には、ステップＳ１１において、ペットショップＰＳ又は動物病院ＡＨによる当該商品ＧＤＰの注文処理を行う。ペットショップＰＳ又は動物病院ＡＨは、それぞれ、ショップ用端末５０又は病院用端末６０を介して運営会社ＨＱにおけるサーバ１０に対して注文情報ＯＤを送信することによって当該商品ＧＤＰの注文を行うことができる。
【０１０９】
ペットメモリアル提供システムにおいては、ペットショップＰＳ又は動物病院ＡＨによる注文処理が終了すると、ステップＳ１２において、運営会社ＨＱによる受注処理を行う。運営会社ＨＱは、ペットショップＰＳ又は動物病院ＡＨからの注文を受注すると、少なくとも、印刷を所望する生前のペットを撮像した画像データの他、ユーザＵＳの情報、ペットの名前、印刷レイアウト、納品日等の情報からなる印刷依頼情報ＲＱＰを、サーバ１０を介して印刷工場ＰＦにおける工場用端末２０に対して送信する。
【０１１０】
続いて、ペットメモリアル提供システムにおいては、ステップＳ１３において、印刷工場ＰＦによって印刷及び加工処理を行う。印刷工場ＰＦは、商品ＧＤＰを製造すると、搬送を指示されたペットショップＰＳ又は動物病院ＡＨに当該商品ＧＤＰを納品するとともに、納品が終了した旨を示す納品情報ＤＬを、工場用端末２０を介して運営会社ＨＱにおけるサーバ１０に対して送信する。
【０１１１】
そして、ペットメモリアル提供システムにおいては、ステップＳ１４において、ペットショップＰＳ又は動物病院ＡＨがユーザＵＳに対して商品ＧＤＰを販売し、一連の処理を終了する。
【０１１２】
ペットメモリアル提供システムにおいては、このような手続きを経ることにより、生前サービスを実現することができる。ペットショップＰＳ又は動物病院ＡＨは、それぞれ、この生前サービスを利用することにより、極めて付加価値のあるペットに固有の商品ＧＤＰをユーザＵＳに販売することができ、同業他社との差別化を図ることができることから、生前サービスは、ペットショップＰＳ又は動物病院ＡＨの販促ツールとして最適なものである。一方、生前サービスは、ユーザＵＳにとっても、ペットに固有の商品ＧＤＰを容易に取得する環境を得ることができる利便の高いサービスである。
【０１１３】
最後に、檀家サービスについて説明する。
【０１１４】
ペットメモリアル提供システムにおいては、図９に示すような一連の工程を経ることにより、檀家サービスを行う。
【０１１５】
ペットメモリアル提供システムにおいては、檀家サービスを行うにあたっては、同図に示すように、ペット霊園ＣＭが、必要に応じて、霊園用端末４０を介してサーバ１０にアクセスすることにより、葬儀を執り行ったユーザＵＳに関する顧客情報ＣＴを閲覧することが可能とされる。これにより、ペット霊園ＣＭは、ユーザＵＳに対して、葬儀を執り行ったペットの死後の供養に関する行事の通知を配信することが可能となる。
【０１１６】
続いて、ペットメモリアル提供システムにおいては、ステップＳ２１において、ペット霊園ＣＭから運営会社ＨＱに対して配信依頼を行う。このとき、ペット霊園ＣＭは、霊園用端末４０を介して運営会社ＨＱにおけるサーバ１０に対して配信依頼情報ＲＱＤを送信することによって配信依頼を行う。また、ペット霊園ＣＭは、配信依頼を行うにあたって、自己が選別したユーザＵＳに対しての配信を依頼することもできるが、供養を執り行うべき日程が所定日数以内に迫っているユーザを顧客データベースに基づいてサーバ１０に選別させ、該当するユーザへの配信を依頼するような方式とすることもできる。
【０１１７】
ペットメモリアル提供システムにおいては、運営会社ＨＱがペット霊園ＣＭからの配信依頼情報ＲＱＤを受信すると、ステップＳ２２において、当該運営会社ＨＱによる配信処理を行う。具体的には、運営会社ＨＱは、サーバ１０を介して該当するユーザＵＳのユーザ用端末３０に対してメール等の形態で配信情報ＤＳを送信する。
【０１１８】
そして、ペットメモリアル提供システムにおいては、配信情報ＤＳを受信したユーザＵＳが供養を行うことを希望する場合には、供養依頼情報ＲＱＭを、ユーザ用端末３０を介してペット霊園ＣＭにおける霊園用端末４０に対して送信することによって供養の依頼を行い、これに応じて、ステップＳ２３において、ペット霊園ＣＭが依頼された供養を執り行い、一連の処理を終了する。なお、ユーザＵＳは、運営会社ＨＱにおけるサーバ１０を介して、この供養依頼情報ＲＱＭを送信するようにしてもよい。
【０１１９】
ペットメモリアル提供システムにおいては、このような手続きを経ることにより、檀家サービスを実現することができる。ペット霊園ＣＭは、この檀家サービスを利用することにより、死後の供養に関する行事についてのリマインダを効率よく配信することができ、ユーザＵＳの来訪率を高めることができる。また、檀家サービスは、ユーザＵＳにとっても、本来であれば忘却しがちであるペットの死後の供養について確実に執り行うことを可能とする利便の高いサービスである。
【０１２０】
以上詳細に説明したように、本発明の実施の形態として示したペットメモリアル提供システムは、任意の素材及び形状からなる媒体に対して高精細な印刷を可能とする技術を利用することにより、生前のペットを死後においても即座に想起させる芸術性の高いペットに固有のツールを提供することができ、ペットに愛着を有しているユーザＵＳにとって満足感のある供養の場を提供することができる。
【０１２１】
また、ペット霊園において各ユーザに与えられる納骨スペースは、大小あるものの極めて限られた空間であることが多く、骨壺の他に遺影等を載置する空間的余裕が十分でない場合が多い。これに対して、ペットメモリアル提供システムにおいては、生前のペットを撮像した画像データを印刷した骨壺ＵＲＡを提供することにより、遺影を載置せずとも当該ペットの写真を視認することが可能となることから、このような納骨スペースの問題も解消することができる。
【０１２２】
さらに、このペットメモリアル提供システムは、ペットが逝去してからユーザＵＳがペット霊園ＣＭを探す手間を著しく低減することができ、従来から存在するペット霊園ＣＭが提供するサービスを容易に享受することが可能となる。
【０１２３】
さらにまた、このペットメモリアル提供システムは、ペットに関する各種情報をサーバ１０に一元管理させることにより、ペットの生前においても、ユーザＵＳにとって利便の高いサービスを提供することができる。
【０１２４】
また、このペットメモリアル提供システムは、ペットショップＰＳ又は動物病院ＡＨが極めて付加価値のあるペットに固有の商品ＧＤＰをユーザＵＳに販売することができる環境を用意することにより、ユーザＵＳとともに当該ペットショップＰＳ又は当該動物病院ＡＨにとっても高い利便を提供することができる。
【０１２５】
さらに、このペットメモリアル提供システムは、ペットの死後の供養に関する行事についてのリマインダを効率よく配信することができ、ユーザＵＳとともにペット霊園ＣＭにとっても高い利便を提供することができる。
【０１２６】
このように、ペットメモリアル提供システムは、ユーザＵＳと、ペット霊園ＣＭ、ペットショップＰＳ、及び動物病院ＡＨとを有機的に結び付けることにより、ペットの生前から死後に至るまでの極めて利便に優れた独自のサービスを提供することができるものである。
【０１２７】
なお、本発明は、上述した実施の形態に限定されるものではない。例えば、上述した実施の形態では、主として骨壺ＵＲＡを提供するものとして説明したが、本発明は、この骨壺ＵＲＡの特徴を最大限に引き出す骨壺収納用カバーを提供するようにしてもよい。
【０１２８】
具体的には、例えば図１０に示すように、骨壺収納用カバーＣＶＲは、袋物状に形成された例えば布製等の袋本体１０１の正面側一部領域に、例えばオレフィンといった焼却しても有害物質を発生しない材質からなる透明フィルム１０２が縫合されて構成される。また、骨壺収納用カバーＣＶＲは、袋本体１０１の上側開口部に沿って紐通しに通された紐体１０３が設けられて構成される。このような骨壺収納用カバーＣＶＲは、例えば図１１に示すように、袋本体１０１の上側開口部を介して骨壺ＵＲＡを収納し、紐通しに通された紐体１０３が縛られた状態で保管される。このとき、骨壺収納用カバーＣＶＲには、骨壺ＵＲＡに印刷されている生前のペットを撮像した画像データや当該ペットの名前等の文字データからなる印刷用情報２２ｃが透明フィルム１０２を介して視認可能な状態で、当該骨壺ＵＲＡが収納される。また、骨壺収納用カバーＣＶＲとしては、特に図示しないが、従来の金銀糸によって構成された箱状の骨壺収納用カバーに、透明フィルムを設けたものであってもよい。さらに、骨壺収納用カバーＣＶＲにおいては、透明フィルム１０２の周囲全部を袋本体１０１に縫合するのではなく、収納された状態のまま骨壺ＵＲＡに触れることを可能とするために、ファスナーやボタンその他任意の手段によって開閉自在とするようにしてもよい。
【０１２９】
ペットメモリアル提供システムにおいては、このような骨壺収納用カバーＣＶＲを提供することにより、骨壺ＵＲＡにさらなる付加価値を与えることができ、また、袋本体１０１には任意の模様を付すことができることから、ユーザＵＳにとって愛着が沸き親しみのあるツールを提供することができる。勿論、ペットメモリアル提供システムにおいては、骨壺ＵＲＡの注文と同様の方法で、当該骨壺ＵＲＡの注文と同時に又は別途で骨壺収納用カバーＣＶＲを注文することができ、運営会社ＨＱが受注に応じて、所定の製造工場に対して、骨壺収納用カバーＣＶＲの製造を発注すればよい。また、ペットメモリアル提供システムにおいては、このような骨壺収納用カバーＣＶＲを提供し、骨壺ＵＲＡの保管に用いることにより、当該骨壺ＵＲＡがペット霊園ＣＭの納骨堂やユーザＵＳの自宅等に載置された状態で万が一地震等に遭遇し、当該骨壺ＵＲＡに対して落下等の衝撃が加えられてしまった場合であっても、その衝撃を和らげることができ、また、たとえ骨壺ＵＲＡが破壊されてしまった場合であっても、収納されたペットの遺骨が周囲に散乱してしまうことがなく、保管の安心感を著しく向上させることができる。
【０１３０】
また、上述した実施の形態では、骨壺ＵＲＰに対して、生前のペットを撮像した画像データを含む当該ペットを即座に想起させることに寄与する情報を印刷して骨壺ＵＲＡを製造するものとして説明したが、本発明は、骨壺ＵＲＰに対して直接印刷を施すのではなく、骨壺ＵＲＰに対して貼付可能な同情報を印刷したシールを製造することにより、間接的に骨壺ＵＲＡを提供するようにしてもよい。
【０１３１】
すなわち、ペットメモリアル提供システムにおいては、情報を印刷した骨壺ＵＲＡを注文するのではなく、同情報を印刷したシールのみを注文し、印刷工場ＰＦによって高精細な印刷を可能とする技術を用いて当該シールを製造し、製造した印刷済みのシールを納品するサービスを提供するようにしてもよい。これにより、ペットメモリアル提供システムにおいては、既に納骨されている骨壺ＵＲＰに関するユーザＵＳをも顧客として取り込むことが可能となり、当該ユーザＵＳに対しても、骨壺ＵＲＡを注文した場合と同様の利便を提供することが可能となる。また、ペットメモリアル提供システムにおいては、骨壺ＵＲＡの注文の際に、印刷工場ＰＦにおけるプリンタ２１による骨壺ＵＲＰに対する直接印刷を行うのか、又は当該骨壺ＵＲＰに対して貼付するシールを製造するのかを、選択可能とすることにより、運営会社ＨＱにとっては、直接印刷を行った骨壺ＵＲＡのみならず、その廉価版として位置付けられるシールを貼付した骨壺ＵＲＡを提供することができ、商品のラインナップを容易に増やすことができ、また、ユーザＵＳにとっても選択の余地が広まり、高い利便を享受することが可能となる。
【０１３２】
さらに、上述した実施の形態では、檀家サービスとして、ペットの死後の供養に関する行事の配信のみを行うものとして説明したが、本発明は、骨壺ＵＲＡや商品ＧＤＰのように、当該供養時に用いるツールに対して印刷を施し、ユーザＵＳの要求に応じて、このツールを提供するようなサービスを行うようにしてもよい。
【０１３３】
さらにまた、本発明は、ユーザＵＳが檀家として葬儀を執り行うべきペット霊園ＣＭが予め決まっているような場合には、生前サービスとして、納骨堂に納める墓地の予約等の業務を提供するようにしてもよい。
【０１３４】
また、上述した実施の形態では、ユーザＵＳがユーザ用端末３０を介して注文処理やサーバ１０に対する骨壺ＵＲＡの製造に必要な画像データ等の送信を行うものとして説明したが、本発明は、例えば、ユーザ用端末３０を所持していないユーザＵＳについては、注文処理から全て電話等を用いたやり取りを行うようにしてもよく、また、ユーザ用端末３０を介して注文処理のみを行い、印刷すべき画像データ等については運営会社ＨＱに対して別途郵送等によって搬送するようにしてもよい。さらに、本発明は、ユーザＵＳの自宅等に運営会社ＨＱからカメラマン等が出向き、高品質の画像データを撮像するといった形態とすることもできる。特に、本発明は、高精細な印刷を可能とする技術を用いて骨壺ＵＲＡを製造することから、印刷すべき画像データ等は高品質のものであることが望ましい。
【０１３５】
さらに、上述した実施の形態では、ユーザＵＳのみが骨壺ＵＲＡを注文するものとして説明したが、本発明は、ユーザＵＳが運営会社ＨＱを介さずに直接ペット霊園ＣＭに出向いて葬儀の申し出を行った場合等には、当該ペット霊園ＣＭが骨壺ＵＲＡの注文を行うようにしてもよい。
【０１３６】
さらにまた、近年では、ペット専用の葬儀業務を取り扱う葬儀会社が存在しているが、本発明は、これをネットワークの一員として取り入れるようにしてもよい。すなわち、ペットメモリアル提供システムにおいては、特に図示しないが、ユーザＵＳとペット霊園ＣＭとを仲介する葬儀会社を設けることができる。この場合、ペットメモリアル提供システムにおいては、ペット霊園ＣＭに葬儀を依頼せずに、葬儀会社に葬儀を依頼したユーザＵＳが、当該葬儀会社の紹介によって骨壺ＵＲＡやシールの注文を行い、製造された骨壺ＵＲＡやシールを当該葬儀会社に納品するサービスを提供することが可能となる。勿論、ペットメモリアル提供システムにおいては、このような場合であっても、葬儀会社からペット霊園ＣＭやユーザＵＳの手元に骨壺ＵＲＡやシールを搬送し、納骨すればよい。
【０１３７】
このように、本発明は、その趣旨を逸脱しない範囲で適宜変更が可能であることはいうまでもない。
【図面の簡単な説明】
【０１３８】
【図１】本発明の実施の形態として示すペットメモリアル提供システムの構成を説明するブロック図である。
【図２】ユーザからの注文に応じて運営会社におけるサーバが保持する顧客データベースの内容を説明する図である。
【図３】ユーザから静止画像データ、動画像データ、音声データ、文字データを受け付けるのに応じて運営会社におけるサーバが保持する顧客データベースの内容を説明する図である。
【図４（ａ）】印刷を施す骨壺の外観構成例を説明する斜視図であって、円筒状からなる本体を有する骨壺の外観構成例を説明する図である。
【図４（ｂ）】印刷を施す骨壺の外観構成例を説明する斜視図であって、多角柱筒状からなる本体を有する骨壺の外観構成例を説明する図である。
【図５（ａ）】印刷済みの骨壺の外観構成例を説明する斜視図であって、図４(ａ)に示す骨壺に対して印刷を施した骨壺の外観構成例を説明する図である。
【図５（ｂ）】印刷済みの骨壺の外観構成例を説明する斜視図であって、図４(ｂ)に示す骨壺に対して印刷を施した骨壺の外観構成例を説明する図である。
【図６】図５(ａ)に示す印刷済みの骨壺の背面側の様子を説明する斜視図である。
【図７】メモリアルツール提供サービスを行う際の一連の工程を説明するシーケンス図である。
【図８】生前サービスを行う際の一連の工程を説明するシーケンス図である。
【図９】檀家サービスを行う際の一連の工程を説明するシーケンス図である。
【図１０】骨壺収納用カバーの外観構成例を説明する斜視図である。
【図１１】骨壺収納用カバーの外観構成例を説明する斜視図であって、印刷済みの骨壺を収納した様子を説明する図である。
【符号の説明】
【０１３９】
１０  サーバ
２０  工場用端末
２１  プリンタ
２２ａ，２３ａ  本体
２２ｂ，２３ｂ  蓋体
２２ｃ，２３ｃ  印刷用情報
２２ｄ  管理用シール
３０  ユーザ用端末
４０  霊園用端末
５０  ショップ用端末
６０  病院用端末
１０１  袋本体
１０２  透明フィルム
１０３  紐体
ＡＨ  動物病院
ＣＭ  ペット霊園
ＣＶＲ  骨壺カバー
ＧＤＰ  商品
ＨＱ  運営会社
ＰＦ  印刷工場
ＰＳ  ペットショップ
ＵＲＡ，ＵＲＰ  骨壺
ＵＳ  ユーザ
【図１】
2005044335.tif 000003
【図２】
2005044335.tif 000004
【図３】
2005044335.tif 000005
【図４（ａ）】
2005044335.tif 000006
【図４（ｂ）】
2005044335.tif 000007
【図５（ａ）】
2005044335.tif 000008
【図５（ｂ）】
2005044335.tif 000009
【図７】
2005044335.tif 000010
【図８】
2005044335.tif 000011
【図９】
2005044335.tif 000012
【図６】
2005044335.tif 000013
【図１０】
2005044335.tif 000014
【図１１】
2005044335.tif 000015